(57)【要約】【課題】アスペクト比情報の変化点を容易に把握できる映像記録装置および方法を提供する。【解決手段】ＡＶ入力部９１を介して外部から入力される映像信号からアスペクト比情報検出部９４が映像データのアスペクト比情報を検出する。エンコーダ部１０が映像データを光ディスク３０またはＨＤＤ部７０に記録するための記録データに変換して記録すると共に、検出部９４が検出するアスペクト比情報が変化した際の記録データの位置情報をＭＰＵ部２０が記録データの再生位置として光ディスク３０またはＨＤＤ部７０に記録する。【選択図】　　　図１
2004120473.tif 000002
【特許請求の範囲】
【請求項１】
映像データを記録媒体に録画する映像記録装置において、
外部から入力される映像信号から映像データのアスペクト比情報を検出するアスペクト比検出部と、
前記映像データを前記記録媒体に記録するための記録データに変換して前記記録媒体に記録する第１の記録部と、
前記アスペクト検出部が検出するアスペクト比情報が変化した際の前記第１の記録部が記録する記録データの位置情報を前記記録データの再生位置として前記記録媒体に記録する第２の記録部と
を具備したことを特徴とする映像記録装置。
【請求項２】
映像データを所定の圧縮方式で圧縮してパック化して記録媒体のデータ領域に記録すると共に、パック化された映像データの再生順序を指定するプログラムチェーン情報を前記データ領域とは異なる領域である管理領域に記録する映像記録装置において、
外部から入力される映像信号から映像データのアスペクト比情報を検出するアスペクト比検出部と、
前記アスペクト検出部が検出するアスペクト比情報が変化した際の映像データの位置情報を、映像データの再生位置を示すエントリーポイントとして前記プログラムチェーン情報が記録される領域に記録する記録部と
を具備したことを特徴とする映像記録装置。
【請求項３】
前記記録部は前記プログラムチェーン情報が記録される領域に前記位置情報と共に前記エントリーポイントがアスペクト比の変化した位置であることを示すテキストデータを記録することを特徴とする請求項２記載の映像記録装置。
【請求項４】
映像データを記録媒体に録画する映像記録方法において、
外部から入力される映像信号から映像データのアスペクト比情報を検出し、
前記映像データを前記記録媒体に記録するための記録データに変換して前記記録媒体に記録すると共に、検出するアスペクト比情報が変化した際の記録データの位置情報を前記記録データの再生位置として前記記録媒体に記録することを特徴とする映像記録方法。
【請求項５】
映像データを所定の圧縮方式で圧縮してパック化して記録媒体のデータ領域に記録すると共に、パック化された映像データの再生順序を指定するプログラムチェーン情報を前記データ領域とは異なる領域である管理領域に記録する映像記録方法において、
外部から入力される映像信号から映像データのアスペクト比情報を検出し、
検出したアスペクト比情報が変化した際の位置情報を、映像データの再生位置を示すエントリーポイントとして前記プログラムチェーン情報が記録される領域に記録することを特徴とする映像記録方法。
【請求項６】
前記プログラムチェーン情報が記録される領域に、前記位置情報と共に前記エントリーポイントがアスペクト比の変化した位置であることを示すテキストデータを記録することを特徴とする請求項５記載の映像記録方法。
【発明の詳細な説明】
【０００１】
【発明の属する技術分野】
本発明は、映像情報を記録する映像記録装置および方法に関する。
【０００２】
【従来の技術】
近年、国際規格化したＭＰＥＧ２方式を使用すると共にＡＣ３オーディオ圧縮方式を採用し、光ディスクに映像や音声等のデータを記録／再生するＤＶＤ規格が普及してきた。
【０００３】
この規格は、ＭＰＥＧ２システムレイヤに従って、動画圧縮方式にＭＰＥＧ２方式をサポートし、音声圧縮方式にＡＣ３オーディオ圧縮方式及びＭＰＥＧオーディオ圧縮方式をサポートしている。
【０００４】
また、書込み可能なＤＶＤディスク（リード・ライト可能なＤＶＤ−ＲＡＭ／ＤＶＤ−ＲＷあるいはライトワンスのＤＶＤ−Ｒ）の開発もなされ、書込み可能ＤＶＤディスクを利用したデジタル映像情報の記録再生機器も登場した。
【０００５】
この記録再生機器においては、映像データの再生時の頭出しとしてエントリーポイントを用いる方法が知られている（例えば、特許文献１参照。）。
エントリーポイントとは映像データの記録中または再生中にユーザの操作によって作成される再生位置を示す情報である。
一方、映像機器（テレビジョン（ＴＶ）受信機、ＶＴＲ等）にはビデオ信号の出力端子としてＳ映像端子とＲＧＢ端子とがある。ＲＧＢ端子は赤緑青の色信号を分離して出力する端子であり、Ｓ映像端子は輝度信号と色差（カラー）信号を出力する端子である。
【０００６】
さらに、ビデオ信号にはそのタイプとして、アスペクト比４：３の信号、アスペクト比４：３のレターボックス信号、１６：９のスクイーズ（またはフルモード）信号とが存在する。標準のテレビ画面はアスペクト比４：３である。また、スクイーズ（またはフルモード）信号は５２５ライン、アスペクト比４：３の標準テレビ信号形式上に５２５ライン、アスペクト比１６：９の画像の情報を載せた信号である。アスペクト比４：３のレターボックス信号は、５２５ライン、アスペクト比４：３で、上下の無画部とアスペクト比１５：９の主画部（５３〜２３２／３１６〜４９５ライン）が存在するワイド画像の信号である。
【０００７】
ワイドＴＶと標準のＴＶが混在するために、ビデオ信号タイプをディスプレイ側で認識させるために、「アスペクト比の異なる映像信号の識別信号と伝送方法」というタイトルで、識別信号の規格化が行われている。この識別信号はＳ映像端子から出力されるカラー信号に直流（ＤＣ）成分（コントロール信号）を重畳し、そのＤＣレベルに応じて信号形式を識別させるものである。
【０００８】
ＤＶＤ規格を用いた記録再生装置においては、このアスペクト比の識別情報をＭＰＥＧ方式のビデオデータ内のシーケンスヘッダやリアルタイムデータインフォメーション（ＲＤＩ）パック等に設定する方法が考えられている（例えば、特許文献２参照。）。
【０００９】
この設定情報を用いることにより、映像データの再生時におけるテレビ画面のアスペクト比の制御が可能になる。
【特許文献１】
特開２００２−１６３８６５号公報（第１７−２１頁、第３０図）
【特許文献２】
特開２００２−６４７８１号公報（第１１−１３頁、第８図）
【００１０】
【発明が解決しようとする課題】
上記のようにＤＶＤ規格を用いた記録再生装置では、エントリーポイントを用いることで再生開始位置を指定でき、またアスペクト比についてはビデオデータ内のシーケンスヘッダやＲＤＩパック等に設定するが、両者を結び付け、アスペクト比が変化した位置で映像データの頭出しを行うことは考慮されていなかったため、記録した映像データの編集時にユーザに負担を強いるという問題点があった。
【００１１】
例えば、記録した映像データをＤＶＤビデオ規格に則ったフォーマットでＤＶＤ−Ｒにコピーする際、ＤＶＤビデオ規格では同一タイトル内で複数のアスペクト比の映像データが混在することを認めていないため、ユーザがアスペクト比の変化を確認しながらコピー作業を行わなければならないという問題があった。
【００１２】
本発明は上記課題に鑑み、アスペクト比の変化する位置を容易に特定できる映像記録装置および方法を提供することを目的とする。
【００１３】
【課題を解決するための手段】
本発明の映像記録装置は、外部から入力される映像信号から映像データのアスペクト比情報を検出するアスペクト検出部と、映像データを記録媒体に記録するための記録データに変換して記録媒体に記録する第１の記録部と、アスペクト検出部が検出するアスペクト比情報が変化した際の記録データの位置情報を記録データの再生位置として記録媒体に記録する第２の記録部とを備えている。
【００１４】
また、本発明の映像記録方法は、外部から入力される映像信号から映像データのアスペクト比情報を検出し、映像データを記録媒体に記録するための記録データに変換して記録媒体に記録すると共に、検出するアスペクト比情報が変化した際の記録データの位置情報を記録データの再生位置として記録媒体に記録する。
【００１５】
本発明により、アスペクト比情報が変化した位置情報を記録媒体から読み出すことによりユーザが容易にアスペクト比の変化位置を特定することが可能になる。
【００１６】
【発明の実施の形態】
以下、図面を参照して、本発明の実施形態を説明する。
図１は本発明の実施形態に係わる映像記録装置であるＤＶＤレコーダ装置の構成を示すブロック図である。
ＤＶＤレコーダ装置１は、レコーダ装置１の全体の制御を司るメインプロセッサユニット（以下、ＭＰＵと称する）１０（第２の記録部）と、入力される映像／音声等のコンテンツ情報をＭＰＥＧ１またはＭＰＥＧ２規格に基づきエンコードすなわちＭＰＥＧ圧縮しＤＶＤ規格に基づくファイル構造の記録データを生成する第１の記録部であるエンコーダ部２０と、反複書込み／読出し可能でありレコーダ装置１に対して着脱自在なＤＶＤ−ＲＡＭディスクやＤＶＤ−Ｒディスク等の光ディスク３０と、光ディスク３０を駆動し光ディスク３０への記録データの書込みおよび光ディスク３０からの記録データの読出しを行うディスクドライブ部４０と、光ディスク３０に記録されたデータをデコードするデコーダ部５０と、エンコーダ部２０からの記録データをディスクドライブ部４０に供給しまたディスクドライブ部４０から読み出された記録データをデコーダ部５０に供給するデータプロセッサ部６０と、ディスクドライブ部４０を介して記録されるデータまたはディスクドライブ部４０から読み出される記録データを一時記憶する磁気ディスクを備えた磁気ディスクドライブ（以下、ＨＤＤと称する）部７０から構成される。
【００１７】
ＭＰＵ部１０は、レコーダ装置１を制御するための制御プログラムが格納されたＲＯＭ部１１、プログラム実行に必要なワークエリアを提供するＲＡＭ部１２、アスペクト比情報の変化点を検出する変化点検出部１３を有する。ＭＰＵ部１０はレコーダ装置１のコントロールパネル上に設けられたボタンまたはリモコン装置からなるキー入力部１４から操作要求データを受ける。また、ＭＰＵ部１０はレコーダ装置１のコントロールパネル上に設けられたインディケータパネルからなる表示部１５にステータス情報を表示する。
【００１８】
エンコーダ部２０は、ＡＶ入力部９１またはテレビジョン（ＴＶ）チューナ部９２から入力されるアナログオーディオ／ビデオ信号をデジタルオーディオ／ビデオ信号に変換するＡ／Ｄコンバータ２１、Ａ／Ｄコンバータ２１で変換されたデジタルビデオ信号をＭＰＥＧ１またはＭＰＥＧ２規格に基づき可変ビットレートで圧縮されたデジタル信号に変換しまたＡ／Ｄコンバータ２１で変換されたデジタルオーディオ信号をＭＰＥＧ規格またはＡＣ−３規格に基づき固定ビットレートで圧縮されたデジタル信号に変換するＡＶエンコード部２２、ワークメモリとして使用されるバッファメモリ２３、ＡＶエンコード部２２から送られるデジタル信号をＤＶＤ規格に基づくファイル構造に合致した記録データ（ＭＰＥＧストリーム）を生成しデータプロセッサ部６０に出力するフォーマッタ部２４を有する。また、エンコーダ部２０では映像情報に重畳される字幕等の副映像情報もエンコード処理し、データプロセッサ部６０に出力する。なお、デジタルオーディオ／ビデオ信号がＡＶ入力部９１またはテレビジョン（ＴＶ）チューナ部９２から入力された際は、Ａ／Ｄコンバータ２１への入力はパススルーされ、デジタルオーディオ／ビデオ信号は直接ＡＶエンコード部２１に入力される。
【００１９】
ＡＶ入力部９１からの出力はアスペクト比情報検出部９４に供給され、この検出部９４にてアスペクト比情報が抽出される。検出部９４で検出されたアスペクト比情報はエンコーダ部２０のフォーマッタ部２４に供給されると共にＭＰＵ部１０のアスペクト比変化点検出部１３に供給される。
【００２０】
デコーダ部５０は、ディスクドライブ部４０およびデータプロセッサ部６０を介して光ディスク３０から読み出されるＤＶＤ規格のファイル構造に合致しＭＰＥＧ圧縮された記録データからオーディオデータ部分およびビデオデータ部分ならびに副映像情報部分を分離するセパレータ部５１、セパレータ部５１が分離処理を行う際のワークメモリとして用いられるメモリ５２、セパレータ部５１で分離されたオーディオデータ部分およびビデオデータ部分ならびに副映像情報部分をデコード（復元処理）するＡＶデコード部５３、デコードされたビデオデータおよび副映像情報を重畳して出力するビデオプロセッサ部５４を有する。
【００２１】
ビデオプロセッサ部５４から出力されるビデオデータはビデオミキシング部８０およびＤ／Ａコンバータ８１を介してモニタ部８２に出力される。また、ＡＶデコード部５３でデコード処理されたオーディオデータはＤ／Ａコンバータ８３を介してスピーカ部８４に出力される。
【００２２】
なお、ＭＰＵ部１０がエンコーダ部２０、デコーダ部５０、ディスクドライブ部４０、データプロセッサ部６０等を制御するタイミングは、システムタイムカウンタ（以下、ＳＴＣと称する）部９３からの時間データに基づく。
【００２３】
図２は、ＤＶＤシステムのディレクトリ構造の一部を示している。図２は、ＤＶＤシステムの特にリアルタイムレコーディング（ＲＴＲ）ＤＶＤのディレクトリ構造とオーディオファイルのディレクトリ構造について示している。　ＤＶＤでは、規格毎にディレクトリが存在し、これらのディレクトリ名を、ＤＶＤビデオでは「ＶＩＤＥＯ＿ＴＳ」、ＤＶＤオーディオでは「ＡＯＵＤＩＯ＿ＴＳ」、ＲＴＲ−ＤＶＤでは「ＤＶＤ＿ＲＴＲ」としている。図２では、「ＤＶＤ＿ＲＴＲ」、「ＡＯＵＤＩＯ＿ＴＳ」が示されている。記録データは各ディレクトリ内に存在する。　また、ＤＶＤでは、通常のファイル形式でデータが保存される。タイトルは例えば映画の１本分に相当し、１枚のディスクのこのタイトルが複数記録可能である。タイトルが集まったものをタイトルセットと呼び、このタイトルセットは、複数のファイルで構成される。　ＤＶＤビデオでは、１枚のディスクにこのディスクの情報を管理するための情報が記録されている。この管理情報はファイルとして記録され、ビデオマネージャー（ＶＭＧ）と称する。ＤＶＤビデオのタイトルセット（ＶＴＳ）は、このタイトルセットを管理するためのビデオタイトルセット情報（ＶＴＳＩ）が設けられ、このＶＴＳＩとビデオデータで構成されるビデオファイルと、さらにＶＴＳＩのバックアップとで構成されている。　一方、ＲＴＲ−ＤＶＤでは、ＶＭＧ（ディスクの情報を管理するための情報）とＶＴＳＩ（タイトルセットを管理するための情報）とが一体化され、新たなビデオマネージャー情報（ＶＭＧＩ）として定義されている。　ディレクトリ「ＤＶＤ＿ＲＴＲ」内にはビデオマネジャー（ＶＭＧ）ファイルとしてのＶＲ＿ＭＡＮＥＧＥＲ．ＩＦＯ、ムービービデオファイルとしてのＶＲ＿ＭＯＶＩＥ．ＶＲＯ、スチルピクチャービデオファイルとしてのＶＲ＿ＳＴＩＬＬ．ＶＲＯ、スチルピクチャービデオファイルとしてのＶＲ＿ＡＵＤＩＯ．ＶＲＯ、ビデオマネジャーのバックアップとしてのＶＲ＿ＭＡＮＡＧＲ．ＢＵＰの各ファイルが存在する。　また、ディレクトリ「ＡＵＤＩＯ＿ＴＳ」内には、オーディオマネージャ情報（ＡＭＧＩ）ファイルとしてのＡＵＤＩＯ＿ＴＳ．ＩＦＯ、オーディオマネージャ情報（ＡＭＧＩ）バックアップファイルとしてのＡＵＤＩＯ＿ＴＳ．ＢＵＰ、オーディオタイトルセット情報（ＡＴＳＩ）ファイルとしてのＡＴＳ＿０１．ＩＦＯ、オーディオタイトルセット（ＡＴＳ）オーディオオブジェクトファイルとしてのＡＴＳ＿０１．ＡＯＢが存在する。　ＶＲ＿ＭＡＮＥＧＥＲ．ＩＦＯファイルには、ナビゲーションデータが記録されるもので、このナビゲーションデータは、プログラムセット、プログラム、エントリーポイント、プレイリストなどを進行させるためのデータである。ＶＲ＿ＭＯＶＩＥ．ＶＲＯファイルは、ムービービデオオブジェクト（ムービーＶＯＢ）を記録するためのいわゆるムービーＡＶファイルである。ＶＲ＿ＳＴＩＬＬ．ＶＲＯは、スチルピクチャＶＯＢを記録するためのスチルピクチャＡＶファイルである。　またＶＲ＿ＡＵＤＩＯ．ＶＲＯは、スチルピクチャに対する付加オーディオストリームを記録するためのスチルピクチャ付加オーディオファイルである。ＶＲ＿ＳＴＩＬＬ．ＶＲＯは、任意のサブピクチャユニットを含むビデオパートで構成されるオリジナルＶＯＢを記録するために用いられる。またこのとき、ビデオパートに関連したオーディオパートもオリジナルＶＯＢに含まる。　ＶＲ＿ＡＵＤＩＯ．ＶＲＯは、付加オーディオパートを記録するために用いられるファイルであり、この付加オーディオパートは、アフターレコーディングにより記録されたオーディオストリームを示す。ＶＲ＿ＡＵＤＩＯ．ＶＲＯに記録されたオーディオパートは、ＶＲ＿ＳＴＩＬＬ．ＶＲＯに記録された幾つかのビデオパートとの組み合せで使用される。ＶＲ＿ＭＡＮＡＧＲ．ＢＵＰは、ＶＲ＿ＭＡＮＥＧＥＲ．ＩＦＯのバックアップファイルである。　図３（Ａ）は、上記のムービービデオファイルとしてのＶＲ＿ＭＯＶＩＥ．ＶＲＯ、スチルピクチャービデオファイルとしてのＶＲ＿ＳＴＩＬＬ．ＶＲＯのファイル構造を示している。　ビデオファイルは階層構造であり、１つのファイルは複数のＶＯＢ（ビデオオブジェクト）で構成され、１つのＶＯＢは複数のＶＯＢＵ（ビデオオブジェクトユニット）で構成され、１つのＶＯＢＵは、複数パックから構成される。複数のパックとしてはＲＤＩパック、ビデオパック（Ｖパック）、オーディオパック（Ａパック）等が存在する。　ＶパックはビデオデータがＭＰＥＧ２の方式で圧縮されたもので、パックヘッダ、パケットヘッダ、ビデオデータ部で構成される。Ａパックは、オーディオデータが、例えばリニアＰＣＭあるいはＭＰＥＧ，あるいはＡＣ３などの方式で処理されたものであり、パックヘッダ、パケットヘッダ、オーディオデータ部で構成される。　図３（Ｂ）は、Ｖパックとの関係によるＭＰＥＧ２方式に基くビデオデータのフォーマットを示している。　グループオブピクチャー（ＧＯＰ）は、複数のビデオフレームが用いられて圧縮された単位であり、その先頭にはシーケンスヘッダが付加されている。シーケンスヘッダには、シーケンスヘッダの開始コード（ＳＨＣ）、画素の縦のライン数（ＨＳ），画素の横のライン数（ＶＳ），アスペクト比（ＰＡＲ）などが記述されている。　図４に示すＲＤＩパックはリアルタイムデータインフォーメーションパック（ＲＤＩ＿ＰＣＫ）と称されるもので、リアルタイムジェネラル情報（ＲＤＩ＿ＧＩ）、ディスプレイコントロール及びコピーコントロール情報（ＤＣＩ＿ＣＣＩ）、製造者情報（ＭＮＦＩ）などを含む。リアルタイムジェネラル情報（ＲＤＩ＿ＧＩ）は、これが属するＶＯＢＵの最初のフィールドが再生される開始時間を示す情報、つまりＶＯＢＵ＿Ｓ＿ＰＴＭと、当該ＶＯＢＵの記録時を示す情報、つまりＶＯＢＵ＿ＲＥＣ＿ＴＭとを含む。　ディスプレイコントロール及びコピーコントロール情報（ＤＣＩ＿ＣＣＩ）は、ディスプレイコントロール情報（ＤＣＩ）及びコピーコントロール情報（ＣＣＩ）のステータスを示す（ＤＣＩ＿ＣＣＩ＿ＳＳ）と、ディスプレイコントロール情報（ＤＣＩ）自身と、コピーコントロール情報（ＣＣＩ）自身を含む。　（ＤＣＩ＿ＣＣＩ＿ＳＳ）のうちディスプレイコントロール情報ステータス（ＤＣＩ＿ＳＳ）は、第１のエリアであり、有効なアスペクト比情報のみが存在する場合（０１ｂ）、有効なアスペクト比、サブタイトルモード、フィルムカメラモードが存在する場合（１１ｂ）を識別している。ディスプレイコントロール情報（ＤＣＩ）は、アスペクト比情報、サブタイトルモード情報、フィルムカメラモードを含む。　アスペクト比情報は、アスペクト比が４：３の場合（０００ｂ）、アスペクト比が１６：９の場合（０００１ｂ）を示している。更にソースピクチャーがレターボックスの場合、１０００ｂ（レターボックス（１４：９）であるがスクリーンセンター配置）、０１００ｂ（レターボックス（１４：９）であるがスクリーントップ配置）、１１０１ｂ（レターボックス（１６：９）であるがスクリーンセンター配置）、００１０ｂ（レターボックス（１６：９）であるがスクリーントップ配置）、１０１０ｂ（レターボックス（＞１６：９）であるがスクリーンセンター配置）、０１１１ｂ（１６：９フルフォーマットでセンター配置）を識別している。　サブタイトルモードは、サブタイトルが開かない（００ｂ）、サブタイトルがアクティブイメージエリア内にある（０１ｂ）、サブタイトルがアクティブイメージエリアの外にある（１０ｂ）を識別している。フィルムカメラモードは、カメラモード（０ｂ）、フィルムモード（１ｂ）を識別している。　ビデオファイルに記録されたデータ再生順序は、プログラムチェーン（ＰＧＣ）で定義されている。このプログラムチェーン（ＰＧＣ）には、セル（Ｃｅｌｌ）が定義され、さらにセル（Ｃｅｌｌ）には、再生すべき対象となるＶＯＢが定義されている。このＰＧＣの具体的情報を記録してある部分がＶＭＧファイルの中のプログラムチェーン情報（ＰＧＣＩ）部分である。ＰＧＣＩには、２種類が存在し、１つはオリジナルＰＧＣＩ（ＯＲＧ＿ＰＧＣＩ）、もう１つはユーザディファインドＰＧＣテーブル（ＵＤ＿ＰＧＣＩＴ）である。ここで、プログラムチェーン情報が記述されているビデオマネージャファイル（ＶＭＧ）の構成について説明する。　図５にはＶＭＧファイルに記述されている情報を階層的に示し、特にプログラムチェーン情報（ＰＧＣＩ）を階層的に詳しく示している。　ＶＭＧファイル内には、ＲＴＲ＿ＶＭＩ（ＲＴＲビデオマネージャ情報）、Ｍ＿ＡＶＦＩＴ（ムービーＡＶファイル情報テーブル）、Ｓ＿ＡＶＦＩＴ（スチルピクチャーＡＶファイル情報テーブル）、ＯＲＧ＿ＰＧＣＩ（オリジナルプログラムチェーン情報）、ＵＤ＿ＰＧＣＩＴ（ユーザ定義プログラムチェーン情報）、ＴＸＴＤＴ＿ＭＧ（テキストデータマネージャ）、ＭＮＦＩＴ（マニュファクチャー情報テーブル）がある。　ＯＲＧ＿ＰＧＣＩ（オリジナルプログラムチェーン情報）は、記録順にデータを再生するための特別なＰＧＣである。このＰＧＣはデータの再生順序を指定する情報であり、プログラムのつながりであるプログラムセットを示している。記録順に再生するための特別なＰＧＣをこのプログラムは、ＶＲＯファイルに格納されているデータである。ＵＤ＿ＰＧＣＩＴ（ユーザ定義プログラムチェーン情報）もデータの再生順序を指定するであるが、ユーザのプログラム編集などにより、上記ＯＲＧ＿ＰＧＣＩにより指定されているプログラムの中の部分的な指定を行いその部分部分をつなげている。したがって、ＵＤ＿ＰＧＣＩＴは、まとまったプログラムのつながりではなく、Ｃｅｌｌ（セル）のつながりを示している。セルとは、プログラムの各部分を示す情報である。ＯＲＧ＿ＰＧＣＩ（オリジナルプログラムチェーン情報）、ＵＤ＿ＰＧＣＩＴ（ユーザ定義プログラムチェーン情報）も内容的な同様なデータ構造である。　ＰＧＣＩは、ＰＧＣ一般情報（ＰＧＣ＿ＧＩ）、ＰＧＣ情報テーブル（ＰＧＣＩＴ）、セル情報サーチポインタ（ＣＩ＿ＳＲＰＴ）、セル情報テーブルＣＩＴ）で構成される。ＰＧＣ一般情報（ＰＧＣ＿ＧＩ）には、プログラム数（ＵＤ＿ＰＧＣでは０）、このＰＧＣ内のセルサーチポインタ数が記述される。　ＰＧＣ情報テーブル（ＰＧＣＩＴ）には、プログラム情報（ＰＧＩ）が記述されるもので、プログラムが消去プロテクトされた状態であるか否かを示すプログラムタイプ（ＰＧ＿ＴＹ），このプログラム内のセルの数（Ｃ＿Ｎｓ）、キャラクタセットを示すプライマリーテキスト情報（ＰＲＭ＿ＴＥＸＴＩ）、このプログラムに対応するアイテムテキストサーチポインタの番号（ＩＴ＿ＴＸＴ＿ＳＲＰＮ）、セル番号、ピクチャーポイントを示す代表画像情報（ＲＥＰ＿ＰＩＣＴＩ）がある。　セル情報サーチポインタ（ＣＩ＿ＳＲＰＴ）には、セル情報（ＣＩ）のスタートアドレスが記述される。セル情報テーブルＣＩＴには、サーチポインタで指定されるセル情報（ＣＩ＃１〜ＣＩ＃ｊ）が記述されている。セル情報（ＣＩ）は、セル一般情報（Ｃ＿ＧＩ）、セルエントリーポイント情報（Ｃ＿ＥＰＩ＃１〜Ｃ＿ＥＰＩ＃ｋ）が記述されている。セルエントリーポイント情報（Ｃ＿ＥＰＩ）は、タイプＡ，タイプＢが存在する。　タイプＡではエントリーポイントタイプ（タイプＡかＢか）の識別、エントリーポイントのプレゼンテーションタイム（ＥＰ＿ＰＴＭ）が記述されている。プレゼンテーションタイム（ＥＰ＿ＰＴＭ）は、エントリーポイントの再生時間を示している。具体的には、（ＥＰ＿ＰＴＭ）は、対応するＶＯＢ内でプレゼンテーションタイムスタンプとして符号化されている、最初のビデオフィールドの再生開始時間、及び最後のビデオフィールドの再生時間を示している。タイプＢではタイプＡの情報に加えて、エントリーポイントにおけるプライマリーテキスト情報が存在する。セル一般情報（Ｃ＿ＧＩ）は、セルタイプ（Ｃ＿ＴＹ）、当該セルが指定するＶＯＢに対応したＶＯＢＩのサーチポインタの番号（Ｍ＿ＶＯＢ＿ＳＲＰＮ）を有する。また、セルエントリーポイントの数（Ｃ＿ＥＰＩ＿Ｎｓ）、セルの再生開始時間（Ｃ＿Ｖ＿Ｓ＿ＰＴＭ）、セルの再生終了時間（Ｃ＿Ｖ＿Ｅ＿ＰＴＭ）を有する。　図６には、同じくＶＭＧファイルに記述されている情報を階層的に示し、特にムービーＡＶファイル情報テーブル（Ｍ＿ＡＶＦＩＴ）を階層的に詳しく示している。　Ｍ＿ＡＶＦＩＴには、ムービーＡＶファイル情報テーブル情報（Ｍ＿ＡＶＦＩＴＩ）、ムービーＶＯＢストリーム情報（Ｍ＿ＶＯＢ＿ＳＴＩ＃ｎ）（ｎ＝１〜ｎ），ムービーＡＶファイル情報（Ｍ＿ＡＶＦＩ）が記述されている。　ムービーＡＶファイル情報（Ｍ＿ＡＶＦＩ）について説明する。　ムービーＡＶファイル情報（Ｍ＿ＡＶＦＩ）には、Ｍ＿ＡＶＦＩ一般情報（Ｍ＿ＡＶＦＩ＿ＧＩ）、Ｍ＿ＶＯＢ情報サーチポインタ（Ｍ＿ＶＯＢＩ＿ＳＲＰ＃ｎ）、ムービービデオ情報（Ｍ＿ＶＯＢＩ＃ｎ）が記述されている。Ｍ＿ＡＶＦＩ一般情報には、Ｍ＿ＶＯＢサーチポインタの数、Ｍ＿ＶＯＢ情報の開始アドレスが記述されている。　Ｍ＿ＶＯＢ情報＃ｎには、当該Ｍ＿ＶＯＢの一般情報（Ｍ＿ＶＯＢ＿ＧＩ）、シームレス情報（ＳＭＬＩ）、オーディオギャツプ情報（ＡＧＡＰＩ）、タイムマップ情報（ＴＭＡＰＩ）が記述されている。Ｍ＿ＶＯＢ＿ＧＩには、このＶＯＢが通常の状態であるのか、仮消去された状態であるのかを示すＶＯＢタイプ、又オーディオストリームは、このＶＯＢが作成されたときにオリジナルとして記録されたものであるのか、あるいは部分的あるいは全体的に修正されたものであるのかを示すオーディオステータスが記述されている。　Ｍ＿ＶＯＢ＿ＧＩには、このＶＯＢの記録時間、サブで分の時間が記録される。さらにまたこのＭ＿ＶＯＢ＿ＧＩには、Ｍ＿ＶＯＢのストリーム情報番号、このＶＯＢのビデオスタート時間、並びに終了時間、コピープロテクション情報が記述される。　次にムービービデオ情報（Ｍ＿ＶＯＢＩ＃ｎ）について説明する。このＭ＿ＶＯＢＩ＃ｎは、Ｍ＿ＶＯＢＩ＿ＳＲＰ＃ｎにより特定される。　ムービービデオ情報（Ｍ＿ＶＯＢＩ＃ｎ）には、このＶＯＢが通常の状態であるのか、仮消去された状態であるのかを示すＶＯＢタイプ、またオーディオストリームはこのＶＯＢが作成されたときにオリジナルとして記録されたものであるのか、あるいは部分的あるいは全体的に修正されたものであるのかを示すオーディオステータスが記述されている。Ｍ＿ＶＯＢ＿ＧＩには、このＶＯＢの記録時間、サブで分の時間が記録される。さらにまたこのＭ＿ＶＯＢ＿ＧＩには、Ｍ＿ＶＯＢのストリーム情報番号、このＶＯＢのビデオスタート時間、並びに終了時間、コピープロテクション情報が記述される。　次に上記のタイムマップ情報（ＴＭＡＰＩ）について説明する。　ＴＭＡＰＩは、プレゼンテーションタイムをオフセットアドレスに変換するのに利用される。この情報は通常の再生のみならず特殊再生やタイムサーチのためにも活用すべき用意されている。ＴＭＡＰＩは、タイムマップ一般情報（ＴＭＡＰ＿ＧＩ）、タイムマップエントリーテーブル（ＴＭ＿ＥＮＴ＃１〜＃ｎ）、このエントリー情報に対応するビデオオブジェクトエントリーテーブル（ＶＯＢＵ＿ＥＮＴ＃１〜＃ｎ）で構成される。　各ＴＭ＿ＥＮＴは、対応するＶＯＢＵのアドレス情報を含みタイムエントリーにより特定された再生時間とＶＯＢＵの再生開始時間との時間差情報を含む。各ＶＯＢＵ＿ＥＮＴは、各ＶＯＢＵの再生時間及びサイズ情報を含む。ＶＯＢＵのサイズは、論理ブロックにより計測されており、再生時間はビデオフィールドにより計測されている。　ＴＭＡＰ＿ＧＩは、タイムエントリー数（ＴＭ＿ＥＮＴ＿Ｎｓ）、ＶＯＢＵエントリー数（ＶＯＢＵ＿ＥＮＴ＿Ｎｓ）、タイムオフセット（ＴＭ＿ＯＦＳ）、アドレスオフセット（ＡＤＲ＿ＯＦＳ）を有する。　ＶＯＢＵ＿ＥＮＴについて説明する。　ＶＯＢＵ＿ＥＮは、このＶＯＢＵの第１の参照画像のアドレス（１ＳＴＲＥＦ＿ＳＺ）と、このＶＯＢＵの再生時間（ＶＯＢＵ＿ＰＢ＿ＴＭ）と、このＶＯＢＵのサイズ（ＯＢＵ＿ＳＺ）で構成される。第１の参照画像はＶＯＢＵの先頭からのＩピクチャの最終アドレスであり、ＶＯＢＵ内のビデオを復号するのに最初に必要なデータのアドレスである。ＶＯＢＵの再生時間はこのＶＯＢＵ内のビデオフィールドの数で示されている。またＶＯＢＵのサイズは、このＶＯＢＵ内のパック数で示されている。　図７は、同じくＶＭＧファイルに記述されている情報を階層的に示し、特にムービービデオオブジェクトストリーム情報テーブル（Ｍ＿ＶＯＢ＿ＳＴＩ＃１〜＃３）を階層的に詳しく示している。　Ｍ＿ＶＯＢ＿ＳＴＩ＃ｎには、ビデオ属性を示すビデオ属性情報（Ｖ＿ＡＴＲ）、オーディオストリーム数を示すオーディオストリームナンバー（ＡＳＴ＿Ｎ）、副映像のストリーム数（ＳＰＳＴ＿Ｎｓ）、各オーディオストリームの属性（Ａ＿ＡＴＲ）、副映像のカラーパレット（ＳＰ＿ＰＬＴ）が記述される。オーディオストリームの属性（Ａ＿ＡＴＲ）には、ストリーム＃０の属性（Ａ＿ＡＴＲ０）と、ストリーム＃１の属性（Ａ＿ＡＴＲ１）とがある。　上記のビデオ属性を示すＶ＿ＡＴＲの中では、圧縮モードとしてはビデオがＭＰＥＧ１（００ｂ）であるかＭＰＥＧ２（０１ｂ）であるかが記述されている。また、ＴＶモードとしてのタイプは、５２５ライン／６０ヘルツ（００ｂ）であるか６２５ライン／５０ヘルツ（０１ｂ）であるかが記述されている。また、アスペクト比として４：３（００ｂ）であるか１６：９（０１ｂ）であるかが記述されている。また、アプリケーションフラッグとして、このビデオストリームはこのＶ＿ＡＴＲで定義されているアスペクト比で符号化されたものである（００ｂ）か、このビデオストリームはこのＶ＿ＡＴＲで定義されているアスペクト比で符号化されてもよいものであるか（０１ｂ）かが記述されている。（０１ｂ）で識別された場合、そのビデオストリームの実際のアスペクト比はＲＤＩ＿ＰＣＫに記述されている。さらにまたビデオ属性を示すＶ＿ＡＴＲとしては、ライン２１に関する情報がある。　上記のＲＴＲ＿ＶＭＩについて説明する。　このＲＴＲ＿ＶＭＩは、大きく分けて２つの情報が含まれる。１つはＶＭＧＩ＿ＭＡＴ（ビデオマネージャー情報マネジメントテーブル）であり、他の１つは、ＰＬ＿ＳＲＰＴ（プレイリストサーチポインターテーブル）である。　ＶＭＧＩ＿ＭＡＴには、このＶＭＧを識別するためのＶＭＧ識別子、ＶＭＧの終了位置を示す情報であるＲＴＲ＿ＶＭＧ終了アドレス、このＶＭＧ情報の終了位置を示す情報であるＲＴＲ＿ＶＭＧＩ終了アドレス、このブックのバージョン番号、このディスクに各種データが記録又は更新されたときの時間を示す情報であるタイムゾーン、スチルピクチャのためのスチル時間、プライマリーテキストのためのキャラクタセットコード、ディスク再生中に一時停止され、次に再生を行うのに必要な情報（プログラムチェーン番号など）を記述したレジュームマーク情報、ディスク代表画像を再生するために必要な情報を記述したディスクリプレゼンタティブピクチャー情報、このディスクの代表名を表示するためのキャラクタコードセットによる記述情報であるディスクリプレゼンタティブネームが記述されている。さらに、次に格納されているＭ＿ＡＶＦＴのスタートアドレス、Ｓ＿ＡＶＦＩＴのスタートアドレス、ＯＲＧ＿ＰＧＣＩのスタートアドレス、ＵＤ＿ＰＧＣＩのスタートアドレス、ＴＸＴＤＴ＿ＭＧのスタートアドレス、ＭＮＦＩＴのスタートアドレスが記述されている。　ＰＬ＿ＳＲＰＴは、プレイリストサーチポインタの数、及び各プレイリストのサーチポインタが記述されている。プレイリストは、プログラムの部分部分を示すリストであり、ユーザにより再生順序を指定可能であり、後述するユーザ定義ＰＧＣにより定義されている。プレイリストサーチポインタには、再生される対象がムービー、スチルなどを識別するためのプレイリストタイプ、このポインタに対応するプログラムチェーン番号、プレイリストが作成された時間の各情報、プレイリストのためのプライマリーテキスト情報等が含まれている。
【００２４】
次に、記録データを作成するための標準的なエンコード処理内容を簡単に説明しておく。エンコーダ部２０において、エンコード処理が開始されると、ビデオ（主映像）データ及びオーディオデータをエンコード処理するにあたって必要なパラメータが設定される。次に、設定されたパラメータを利用して主映像データがプリエンコード処理されることにより、設定された平均転送レート（記録レート）に最適な符号量の分配が計算される。プリエンコード処理で得られた符号量分配に基づき、主映像データのエンコード処理が実行される。このとき、オーディオデータのエンコード処理も同時に実行される。プリエンコード処理の結果、データ圧縮量が不十分な場合（録画しようとする情報記憶媒体に希望のビデオプログラムが収まり切らない場合）、再度プリエンコード処理する機会を持てるなら（例えば録画のソースがビデオテープあるいはビデオディスク等の反復再生可能なソースであれば）、主映像データの部分的な再エンコード処理が実行され、再エンコード処理した部分の主映像データが、それ以前にプリエンコード処理した主映像データ部分と置換される。このような一連の処理によって、主映像データ及びオーディオデータがエンコード処理され、記録に必要な平均ビットレートの値が大幅に低減される。同様に、副映像データをエンコード処理するに必要なパラメータが設定され、エンコード処理された副映像データが作成される。
【００２５】
エンコーダ部２０によりエンコード処理された主映像データ、オーディオデータ及び副映像データが組み合わされて、ビデオオブジェクトセットＶＯＢＳの構造に変換される。すなわち、主映像データ（ビデオデータ）の最小単位としてセルが設定され、図５で説明したようなセル情報が作成される。次に、ＭＰＵ部１０によりプログラムチェーンＰＧＣを構成するセルの構成や、主映像、副映像及びオーディオの属性等が設定され（これらの属性情報の一部は、各データをエンコードするときに得られた情報が利用される）、種々の情報を含めたＶＭＧファイルが作成される。
【００２６】
エンコーダ部２０でエンコード処理された主映像データ、オーディオデータ及び副映像データは、一定サイズ（２０４８バイト）のパック（図３）に細分化される。これらのパックにはダミーパックが適宜挿入される。なお、ダミーパック以外のパック内には適宜再生時刻を示すＰＴＳ（プレゼンテーションタイムスタンプ）や、デコード時刻を示すＤＴＳ（デコーディングタイムスタンプ）等のタイムスタンプが記述される。副映像のＰＴＳについては、同じ再生時間帯の主映像データあるいはオーディオデータのＰＴＳより任意に遅延させた時間を記述することができる。そして、各データのタイムコード順に再生可能なように、ビデオオブジェクトユニットＶＯＢＵ単位でその先頭にＲＤＩパック（ナビゲーションパックに相当）を配置しながら各セルが配置される。これにより、複数のセルで構成されるビデオオブジェクトＶＯＢが構成される。このビデオオブジェクトＶＯＢを１つ以上集めてなるビデオオブジェクトセットＶＯＢＳが、ムービービデオファイルに記録される。
【００２７】
次に、レコーダ装置１の動作を説明する。
外部からＴＶチューナ部９２またはＡＶ入力部９１を介して入力された映像信号はＡ／Ｄコンバータ５２でデジタル変換される。そのデジタル信号はＡＶエンコード部２２へ入力される。ＡＶエンコード部２２において、ビデオ信号はＭＰＥＧ圧縮され、オーディオ信号はＡＣ３圧縮またはＭＰＥＧオーディオ圧縮がなされ、文字データはランレングス圧縮される。
【００２８】
ＡＶエンコード部２２からの圧縮データは、パック化された場合に２０４８バイトになるようにパケット化されてフォーマッタ部２４へ入力される。フォーマッタ２４では各パケットがパック化され、さらに多重化されて、データプロセッサ部６０へ送られる。ここで、フォーマッタ部２４はアスペクト比情報検出部９４が検出した映像信号のアスペクト比情報を基にＲＤＩパックを作成し、ビデオオブジェクトユニット（ＶＯＢＵ）の先頭に配置する。また、エンコーダ部２０ではアスペクト比情報検出部９４からの情報を元に、ＭＰＥＧビデオデータのシーケンスヘッダ内にアスペクト比情報を書き込む。
【００２９】
データプロセッサ部６０は１６パック毎にＥＣＣブロックを形成し、エラー訂正データを付け、その出力をディスクドライブ部４０を介して光ディスク３０またはＨＤＤ部７０に記録する。
【００３０】
さらに、フォーマッタ５６では録画中に各切り分け情報を作成し、定期的にＭＰＵ部１０へ送る（ＧＯＰ先頭割り込み時などの情報）。切り分け情報としては、ＶＯＢＵのパック数、ＶＯＢＵ先頭からのＩピクチャのエンドアドレス、ＶＯＢＵの再生時間などである。同時に、アスペクト比情報検出部９４からのアスペクト比情報が録画開始時にＭＰＵ部１０に送られ、ＭＰＵ部１０は送られたアスペクト比情報を基にＶＯＢストリーム情報（ＳＴＩ）を作成する。ここで、ＳＴＩは図７のような構造になっており、解像度データ、アスペクトデータなどを保存し、再生時、各デコーダ部はこの情報を元に初期設定を行われる。
【００３１】
次に、本実施形態に係わるアスペクト比情報変化時のＭＰＵ部１０の動作を説明する。図８はアスペクト比情報変化時のＭＰＵ部１０の動作を説明するフローチャートである。
【００３２】
アスペクト比情報検出部９４はＡＶ入力部９１を介してテレビのＳ１端子から出力される信号からアスペクト比情報を検出する。なお、アスペクト比情報検出部９４はデジタルビデオ信号がＡＶ入力部９１またはＴＶチューナ部９２から入力される際にはそのデジタルビデオ信号中に含まれる制御情報からアスペクト比情報を検出することも可能である。また、アスペクト比情報検出部９４はエンコーダ部２０と別回路であってもエンコーダ部２０内の回路であってもよい。
【００３３】
ＭＰＵ部１０の変化点検出部１３は映像信号の記録中、アスペクト比情報検出部９４が検出したアスペクト比情報を受け、変化点検出部１３が映像信号のアスペクト比情報が変化したかを検出する（ステップＳ８１）。変化点検出部１３がアスペクト比情報が変化したことを検出すると、ＭＰＵ部は変化点検出時点のフォーマッタ部２４から供給されている映像情報の記録データの位置情報を取得する（ステップＳ８３）。その後、ＭＰＵ部１０は光ディスクに記録される管理情報であるエントリーポイント情報として、ＰＧＣＩ中のセルエントリーポイント情報（Ｃ＿ＥＰＩ＃１〜Ｃ＿ＥＰＩ＃ｋ）に、エントリーポイントがプライマリーテキスト情報を有することを示すタイプＢであることを示す情報、エントリーポイントのプレゼンテーションタイム（ＥＰ＿ＰＴＭ）情報、プライマリーテキスト情報として「ここからのアスペクト比は４：３（または１６：９）」である旨の情報を記録する（ステップＳ８５）。
【００３４】
以上により、ユーザは記録データの編集時にエントリーポイントの情報を抽出してモニタ部８２に表示し、アスペクト比の変化した場所を把握でき、アスペクト比が変化した位置の頭出しが容易になる。これにより、ユーザはアスペクト比が同じ記録データをひとつの録画情報としてＤＶＤビデオフォーマットでＤＶＤ―Ｒにコピーする等の作業が容易に行える。
【００３５】
【発明の効果】
本発明によれば、アスペクト比が変化した箇所を容易に把握することが可能になる。
【図面の簡単な説明】
【図１】実施形態に係わる映像記録装置であるＤＶＤレコーダ装置の構成を示すブロック図。
【図２】ＤＶＤシステムのディレクトリ構造を示す図。
【図３】ＤＶＤ規格におけるビデオオブジェクトセット及びＭＰＥＧ規格におけるデータ構造の階層とその内容を示す説明図。
【図４】ＲＤＩパックの構成を示す説明図。
【図５】ＤＶＤ規格におけるＶＭＧの階層構造で特にプログラムチェーンの階層構造を示す説明図。
【図６】ＤＶＤ規格におけるＶＭＧの階層構造で特にＡＶファイル情報テーブルの階層構造を示す説明図。
【図７】ＤＶＤ規格におけるＶＭＧの階層構造で特にＡＶファイル情報テーブルのビデオストリーム情報の階層構造を示す説明図。
【図８】アスペクト比情報変化時のＭＰＵ部の動作を説明するフローチャート。
【符号の説明】
１０　　ＭＰＵ部
１３　　アスペクト比情報変化点検出部
２０　　エンコーダ部
２４　　フォーマッタ部
３０　　光ディスク
７０　　ＨＤＤ部
９４　　アスペクト比情報検出部
【図１】
2004120473.tif 000003
【図２】
2004120473.tif 000004
【図３】
2004120473.tif 000005
【図４】
2004120473.tif 000006
【図５】
2004120473.tif 000007
【図６】
2004120473.tif 000008
【図７】
2004120473.tif 000009
【図８】
2004120473.tif 000010